(57)【要約】【課題】慶弔金の贈与及び受け取りの実感を保った電子決済の実現に有効なシステムを提供する。【解決手段】慶弔金管理サーバ１００は、慶弔金の金額と支払方法とを定める贈与指示情報を贈与者端末３００から取得する贈与指示取得部１１１と、贈与指示情報と、端末読み取り用の慶弔金コードと、慶弔金の受取キーとを対応付けて記憶する慶弔金データベース１１２と、慶弔金の受取者の受取者端末４００が読み取った慶弔金コードと、当該慶弔金コードに対応付けられた受取キーと、慶弔金の受取方法を定める受取指示情報とを受取者端末４００から取得する受取指示取得部１６１と、受取指示取得部１６１が取得した慶弔金コードと受取キーとが慶弔金データベース１１２において対応付けられている場合に、贈与指示情報と受取指示情報とに従って贈与者から受取者への慶弔金の送金決済処理を実行する送金処理部１６４と、を備える。【選択図】図３
2020098426.tif 000002
【特許請求の範囲】
【請求項１】
慶弔金の金額と支払方法とを定める贈与指示情報を贈与者の端末から取得する贈与指示取得部と、
前記贈与指示情報と、端末読み取り用の慶弔金コードと、前記慶弔金の受取キーとを対応付けて記憶する慶弔金データベースと、
前記慶弔金の受取者の端末が読み取った前記慶弔金コードと、当該慶弔金コードに対応付けられた受取キーと、前記慶弔金の受取方法を定める受取指示情報とを前記受取者の端末から取得する受取指示取得部と、
前記受取指示取得部が取得した前記慶弔金コードと前記受取キーとが前記慶弔金データベースにおいて対応付けられている場合に、前記贈与指示情報と前記受取指示情報とに従って前記贈与者から前記受取者への前記慶弔金の送金決済処理を実行する送金処理部と、を備える慶弔金管理装置。
【請求項２】
前記贈与者の端末が読み取った前記慶弔金コードを前記贈与者の端末から取得する既存コード取得部を更に備え、
前記慶弔金データベースは、前記贈与指示取得部が取得した前記贈与指示情報と前記既存コード取得部が取得した前記慶弔金コードとを対応付けて記憶する、請求項１記載の慶弔金管理装置。
【請求項３】
前記贈与指示情報が前記贈与者の端末から取得されるのに応じて当該贈与指示情報に対応する受取キーを自動設定する受取キー設定部を更に備え、
前記慶弔金データベースは、前記贈与指示取得部が取得した前記贈与指示情報と前記受取キー設定部が設定した前記受取キーとを対応付けて記憶する、請求項１又は２記載の慶弔金管理装置。
【請求項４】
前記贈与指示情報に対応付けられた贈与キーを前記贈与者の端末から取得する贈与キー取得部を更に備え、
前記受取キー設定部は、複数の前記贈与指示情報が共通の前記贈与キーに対応付けられる場合に、当該複数の贈与指示情報に対して共通の受取キーを設定する、請求項３記載の慶弔金管理装置。
【請求項５】
前記受取指示取得部が取得した前記受取キーが前記共通の受取キーである場合に、前記送金処理部は前記共通の受取キーに対応付けられた複数の前記贈与指示情報と前記受取指示情報とに従った前記送金決済処理をまとめて実行する、請求項４記載の慶弔金管理装置。
【請求項６】
前記受取指示取得部が取得した前記受取キーが前記共通の受取キーである場合に、当該受取キーに対応する複数の前記慶弔金コードの読み取りを前記受取者の端末に要求する読取要求部を更に備え、
前記受取指示取得部は、前記読取要求部からの要求に従って前記受取者の端末が読み取った複数の前記慶弔金コードを前記共通の受取キーに対応付けて取得し、
前記送金処理部は、前記共通の受取キーに対応付けて前記受取指示取得部が取得した複数の前記慶弔金コードにそれぞれ対応する複数の前記贈与指示情報にそれぞれ従った複数の前記送金決済処理をまとめて実行する、請求項５記載の慶弔金管理装置。
【請求項７】
前記共通の受取キーに対応付けて前記受取指示取得部が取得した複数の前記慶弔金コードの他の前記慶弔金コードが前記慶弔金データベースにおいて当該受取キーに更に対応付けられている場合に、読み取り漏れの前記慶弔金コードの存在を前記受取者の端末に通知する読取漏れ通知部を更に備える、請求項６記載の慶弔金管理装置。
【請求項８】
前記受取指示取得部が取得した前記受取キーが前記共通の受取キーである場合に、当該受取キーに対応付けられた複数の前記贈与指示情報を前記慶弔金データベースから抽出する贈与指示抽出部を更に備え、
前記送金処理部は、前記贈与指示抽出部が抽出した複数の前記贈与指示情報にそれぞれ従った複数の前記送金決済処理をまとめて実行する、請求項５記載の慶弔金管理装置。
【請求項９】
前記贈与者の端末からの要求に応じて、前記贈与指示情報に対応する慶弔金コードを自動生成するコード生成部と、
前記慶弔金コードの生成を要求した前記贈与者の端末に前記コード生成部が生成した前記慶弔金コードを送信するコード送信部とを更に備え、
前記コード生成部が前記慶弔金コードを生成する場合に、前記慶弔金データベースは、前記贈与指示取得部が取得した前記贈与指示情報と前記コード生成部が生成した前記慶弔金コードとを対応付けて記憶する、請求項１〜８のいずれか一項記載の慶弔金管理装置。
【請求項１０】
前記コード生成部が前記慶弔金コードを生成する場合に、前記贈与者の支払金額にコード生成費用を加算する加算処理部を更に備える、請求項９記載の慶弔金管理装置。
【請求項１１】
慶弔金の金額と支払方法とを定める贈与指示情報を贈与者の端末から取得することと、
前記贈与指示情報と、端末読み取り用の慶弔金コードと、前記慶弔金の受取キーとを対応付けて慶弔金データベースに保存することと、
前記慶弔金の受取者の端末が読み取った前記慶弔金コードと、当該慶弔金コードに対応付けられた受取キーと、前記慶弔金の受取方法を定める受取指示情報とを前記受取者の端末から取得することと、
前記受取者の端末から取得した前記慶弔金コードと前記受取キーとが前記慶弔金データベースにおいて対応付けられている場合に、前記贈与指示情報と前記受取指示情報とに従って前記贈与者から前記受取者への前記慶弔金の送金決済処理を実行することと、を含む慶弔金管理方法。
【請求項１２】
慶弔金の贈与者用に、前記慶弔金の金額と支払方法とを定める贈与指示情報を入力するための贈与指示入力部を表示することと、
前記贈与指示入力部に入力された前記贈与指示情報と、端末読み取り用の慶弔金コードと、前記慶弔金の受取キーとを対応付けて慶弔金管理サーバの慶弔金データベースに記憶させることと、
前記慶弔金の受取者用に前記慶弔金コードを読み取るための受取用読取部を表示することと、
前記慶弔金の受取キーを入力するための受取キー入力部を表示することと、
前記慶弔金の受取方法を定める受取指示情報を入力するための受取指示入力部を表示することと、
受取用読取部において読み取られた前記慶弔金コードと、前記受取キー入力部に入力された前記受取キーとに対応付けられた前記贈与指示情報と、前記受取指示入力部に入力された前記受取指示情報とに従って前記贈与者から前記受取者への前記慶弔金の送金決済処理を前記慶弔金管理サーバに要求することと、を端末に実行させるように構成されているプログラム。
【請求項１３】
前記受取キー入力部に入力された前記受取キーが、前記慶弔金データベースにおいて複数の前記贈与指示情報に対応付けられている場合に、前記受取用読取部の表示を反復させることを前記端末に更に実行させ、
反復表示された前記受取用読取部において複数の前記慶弔金コードが読み取られた場合に、当該複数の慶弔金コードにそれぞれ対応付けられた複数の前記贈与指示情報と、前記受取指示入力部に入力された前記受取指示情報とに従った前記送金決済処理をまとめて前記慶弔金管理サーバに要求することを前記端末に実行させるように構成されている、請求項１２記載のプログラム。
【請求項１４】
反復表示された前記受取用読取部においてそれぞれ読み取られた複数の前記慶弔金コードの他の前記慶弔金コードと、前記受取キー入力部に入力された前記受取キーとが、前記慶弔金データベースにおいて更に対応付けられている場合に、読み取り漏れの前記慶弔金コードの存在を通知する通知画面を表示することを更に前記端末に実行させるように構成されている、請求項１３記載のプログラム。
【請求項１５】
前記贈与指示情報に対応する慶弔金コードの生成を慶弔金管理サーバに要求するためのコード要求入力部を表示することと、
前記慶弔金管理サーバが生成した前記慶弔金コードを表示することとを前記端末に更に実行させるように構成されている、請求項１２〜１４のいずれか一項記載のプログラム。
【発明の詳細な説明】
【技術分野】
【０００１】
本開示は、慶弔金管理装置、慶弔金管理方法及びプログラムに関する。
【背景技術】
【０００２】
特許文献１には、祝儀額及びこの祝儀額の祝儀を電子支払いするためのクレジットカード情報の入力が可能な招待客用ホームページ、祝儀が振り込まれる振込先銀行口座の入力が可能な主催者用ホームページ、及びクレジットカード情報に基づいて祝儀額を受領し、この祝儀額又はこれから手数料を差し引いた額を主催者銀行口座に振り込む決済処理部を備える結婚式支援システムが開示されている。
【先行技術文献】
【特許文献】
【０００３】
【特許文献１】特開２０１７−２２００７９号公報
【発明の概要】
【発明が解決しようとする課題】
【０００４】
本開示は、慶弔金の贈与及び受け取りの実感を保った電子決済の実現に有効なシステムを提供する。
【課題を解決するための手段】
【０００５】
本開示の一側面に係る慶弔金管理装置は、慶弔金の金額と支払方法とを定める贈与指示情報を贈与者の端末から取得する贈与指示取得部と、贈与指示情報と、端末読み取り用の慶弔金コードと、慶弔金の受取キーとを対応付けて記憶する慶弔金データベースと、慶弔金の受取者の端末が読み取った慶弔金コードと、当該慶弔金コードに対応付けられた受取キーと、慶弔金の受取方法を定める受取指示情報とを受取者の端末から取得する受取指示取得部と、受取指示取得部が取得した慶弔金コードと受取キーとが慶弔金データベースにおいて対応付けられている場合に、贈与指示情報と受取指示情報とに従って贈与者から受取者への慶弔金の送金決済処理を実行する送金処理部と、を備える。
【０００６】
本開示の他の側面に係る慶弔金管理方法は、慶弔金の金額と支払方法とを定める贈与指示情報を贈与者の端末から取得することと、贈与指示情報と、端末読み取り用の慶弔金コードと、慶弔金の受取キーとを対応付けて慶弔金データベースに保存することと、慶弔金の受取者の端末が読み取った慶弔金コードと、当該慶弔金コードに対応付けられた受取キーと、慶弔金の受取方法を定める受取指示情報とを受取者の端末から取得することと、受取者の端末から取得した慶弔金コードと受取キーとが慶弔金データベースにおいて対応付けられている場合に、贈与指示情報と受取指示情報とに従って贈与者から受取者への慶弔金の送金決済処理を実行することと、を含む。
【０００７】
本開示の更に他の側面に係るプログラムは、慶弔金の贈与者用に、慶弔金の金額と支払方法とを定める贈与指示情報を入力するための贈与指示入力部を表示することと、贈与指示入力部に入力された贈与指示情報と、端末読み取り用の慶弔金コードと、慶弔金の受取キーとを対応付けて慶弔金管理サーバの慶弔金データベースに記憶させることと、慶弔金の受取者用に慶弔金コードを読み取るための受取用読取部を表示することと、慶弔金の受取キーを入力するための受取キー入力部を表示することと、慶弔金の受取方法を定める受取指示情報を入力するための受取指示入力部を表示することと、受取用読取部において読み取られた慶弔金コードと、受取キー入力部に入力された受取キーとに対応付けられた贈与指示情報と、受取指示入力部に入力された受取指示情報とに従って贈与者から受取者への慶弔金の送金決済処理を慶弔金管理サーバに要求することと、を端末に実行させるように構成されている。
【発明の効果】
【０００８】
本開示によれば、慶弔金の贈与及び受け取りの実感を保った電子決済の実現に有効なシステムを提供することができる。
【図面の簡単な説明】
【０００９】
【図１】慶弔金管理システムの概略構成を示す模式図である。
【図２】慶弔金管理システムの機能的な構成を例示するブロック図である。
【図３】慶弔金管理システムの機能的な構成を例示するブロック図である。
【図４】慶弔金データベースの記憶内容を例示するテーブルである。
【図５】慶弔金カードを例示する模式図である。
【図６】式典情報データベースの記憶内容を例示するテーブルである。
【図７】慶弔金管理システムのハードウェア構成を例示するブロック図である。
【図８】式典情報登録手順を例示するフローチャートである。
【図９】慶弔金登録手順を例示するフローチャートである。
【図１０】慶弔金登録手順を例示するフローチャートである。
【図１１】慶弔金受取手順を例示するフローチャートである。
【発明を実施するための形態】
【００１０】
以下、実施形態について、図面を参照しつつ詳細に説明する。説明において、同一要素又は同一機能を有する要素には同一の符号を付し、重複する説明を省略する。
【００１１】
〔慶弔金管理システム〕
図１に示す慶弔金管理システムは、端末読み取り用の慶弔金コードが付与されたメディアの手渡しによる慶弔金贈与を管理するシステムである。慶弔金の具体例としては、結婚式の祝儀、葬式の香典等が挙げられる。
【００１２】
メディアは、端末（例えば贈与者端末３００（贈与者の端末）又は受取者端末４００（受取者の端末））による読み取りが可能となるように慶弔金コードが付与されている限りいかなるものであってもよい。例えばメディアは、一次元コード又は二次元コード等の画像として慶弔金コードが印刷されたカードである。メディアは、慶弔金コードを記憶したＩＣチップ又は磁気帯等が付与されたカードであってもよい。
【００１３】
慶弔金管理システム１は、慶弔金管理サーバ１００（慶弔金管理装置）と、贈与者端末３００と、受取者端末４００とを備える。贈与者端末３００は、慶弔金の贈与者が用いる端末であり、必ずしも贈与者の所有物でなくてもよい。贈与者は、収納代行業者（例えばコンビニエンスストア等）に現金で慶弔金を支払う場合も考えられる。このような場合には、収納代行業者の端末（例えばレジスター等）が贈与者端末３００として利用され得る。受取者端末４００は、慶弔金の受取者が用いる端末であり、必ずしも受取者の所有物でなくてもよい。
【００１４】
贈与者端末３００及び受取者端末４００は、有線又は無線でのネットワーク通信が可能な携帯端末である限り、いかなるものであってもよい。贈与者端末３００及び受取者端末４００の具体例としては、ノート型のコンピュータ、タブレット型のコンピュータ、据え置き型（例えばデスクトップ型）のコンピュータ、又はスマートフォン等が挙げられる。贈与者端末３００及び受取者端末４００は、贈与者用の機能及び受取者用の機能を構成するためのアプリケーションを含んでいる。当該アプリケーションは、汎用のネットワークブラウザであってもよいし、慶弔金管理システムを利用するためにインストールされた専用のアプリケーションであってもよい。
【００１５】
慶弔金管理サーバ１００は、上記メディアの手渡しによる慶弔金贈与に必要な情報管理及び決済処理等を行う。慶弔金管理サーバ１００は、慶弔金の金額と支払方法とを定める贈与指示情報を贈与者端末３００から取得することと、贈与指示情報と、端末読み取り用の慶弔金コードと、慶弔金の受取キーとを対応付けて慶弔金データベースに保存することと、受取者端末４００が読み取った慶弔金コードと、当該慶弔金コードに対応付けられた受取キーと、慶弔金の受取方法を定める受取指示情報とを受取者端末４００から取得することと、受取者端末４００から取得した慶弔金コードと受取キーとが慶弔金データベースにおいて対応付けられている場合に、贈与指示情報と受取指示情報とに従って贈与者から受取者への慶弔金の送金決済処理を実行することとを実行するように構成されている。
【００１６】
図２に示すように、慶弔金管理サーバ１００は、慶弔金の贈与に関する機能上の構成（以下、「機能モジュール」という。）として、慶弔金データベース１１２と、贈与指示取得部１１１と、支払内容確認部１１３と、登録内容送信部１１５とを備える。
【００１７】
慶弔金データベース１１２は、贈与指示情報と、慶弔金コードと、慶弔金の受取キーとを対応付けて記憶する。贈与指示情報は、慶弔金の金額と支払方法とを定める情報である。支払方法の具体例としては、口座振替、クレジット決済、電子マネーによる決済、及び現金手渡し等が挙げられる。また、収納代行業者（例えばコンビニエンスストア等）への現金払いも挙げられる。贈与指示情報は、必ずしも支払方法自体を直接的に示す情報でなくてもよい。例えば、贈与者の識別情報と支払方法とが予め慶弔金管理サーバ１００に登録されている場合、贈与者の識別情報も支払方法を定める情報となり得る。受取キーは、慶弔金の受け取りの認証に用いられる文字列等の認証情報である。
【００１８】
例えば慶弔金データベース１１２は、支払金額、受取金額、贈与者名、贈与者連絡先、及び支払方法等を含む贈与指示情報を、受取キーと慶弔金コードとに対応付けて記憶する（図４参照）。支払金額は、慶弔金の贈与のために贈与者が支払う金額である。受取金額は、受取者が受取る慶弔金の金額である。贈与者連絡先は、贈与者の住所、電話番号及びＥメールアドレス等の情報である。
【００１９】
贈与指示取得部１１１は、贈与指示情報を贈与者端末３００から取得して慶弔金データベース１１２に登録する。贈与指示情報を慶弔金データベース１１２に登録する際に、贈与指示取得部１１１は、贈与者端末３００から取得した慶弔金の金額と同額の受取金額を慶弔金データベース１１２に登録する。同様に、贈与指示取得部１１１は、贈与者端末３００から取得した慶弔金の金額と同額の支払金額を慶弔金データベース１１２に登録してもよいし、慶弔金の金額に所定の手数料を加算した支払金額を慶弔金データベース１１２に登録してもよい。
【００２０】
支払内容確認部１１３は、贈与指示情報に従った支払い内容が贈与者の意図どおりであるかを確認する。登録内容送信部１１５は、慶弔金データベース１１２の登録内容の少なくとも一部を贈与者端末３００に送信する。
【００２１】
慶弔金管理サーバ１００は、贈与者端末３００が読み取った慶弔金コードを贈与者端末３００から取得することを更に実行するように構成されていてもよい。例えば慶弔金管理サーバ１００は、既存コード取得部１２１を更に備える。既存コード取得部１２１は、贈与者端末３００が読み取った慶弔金コードを贈与者端末３００から取得し、贈与指示取得部１１１が取得した贈与指示情報と対応付けて慶弔金データベース１１２に登録する。これにより、慶弔金データベース１１２は、贈与指示取得部１１１が取得した贈与指示情報と既存コード取得部１２１が取得した慶弔金コードとを対応付けて記憶する。
【００２２】
例えば贈与者端末３００は、既存のメディアに付与された慶弔金コードを読み取る。図５は、既存メディアを例示する模式図である。図５に示す慶弔金カード１０（既存メディア）は、慶弔金コードを保持するコード保持部１１と、慶弔メッセージ１２と、コード利用説明１３とを有する。コード保持部１１は、一次元コード又は二次元コード等の画像として慶弔金コードを保持していてもよいし、ＩＣチップ又は磁気帯等により慶弔金コードを不可視のデータとして保持していてもよい。
【００２３】
図２に戻り、慶弔金管理サーバ１００は、贈与者端末３００からの要求に応じて、贈与指示情報に対応する慶弔金コードを自動生成するように構成されていてもよい。例えば慶弔金管理サーバ１００は、コード生成部１５１と、加算処理部１５２とを更に備える。
【００２４】
コード生成部１５１は、贈与者端末３００からの要求に応じて、贈与指示情報に対応する慶弔金コードを自動生成し、贈与指示取得部１１１が取得した贈与指示情報と対応付けて慶弔金データベース１１２に登録する。これにより、慶弔金データベース１１２は、贈与指示取得部１１１が取得した贈与指示情報とコード生成部１５１が生成した慶弔金コードとを対応付けて記憶する。この場合、上記登録内容送信部１１５（コード送信部）は、慶弔金コードの生成を要求した贈与者端末３００にコード生成部１５１が生成した慶弔金コードを送信する。
【００２５】
加算処理部１５２は、コード生成部１５１が慶弔金コードを生成する場合に、贈与者の支払金額（慶弔金データベース１１２の贈与指示情報の支払金額）にコード生成費用を加算する。
【００２６】
慶弔金管理サーバ１００は、贈与指示情報が贈与者端末３００から取得されるのに応じて当該贈与指示情報に対応する受取キーを自動設定するように構成されていてもよい。例えば慶弔金管理サーバ１００は、受取キー設定部１３１を更に備える。受取キー設定部１３１は、贈与指示情報が贈与者端末３００から取得されるのに応じて受取キーを自動設定し、当該贈与指示情報と対応付けて慶弔金データベース１１２に登録する。これにより、慶弔金データベース１１２は、贈与指示取得部１１１が取得した贈与指示情報と受取キー設定部１３１が設定した受取キーとを対応付けて記憶する。この場合、上記登録内容送信部１１５（受取キー送信部）は、受取キー設定部１３１が設定した受取キーを贈与者端末３００に送信する。
【００２７】
慶弔金管理サーバ１００は、贈与指示情報に対応付けられた贈与キーを贈与者端末３００から更に取得するように構成されていてもよい。贈与キーは、贈与者が登録する慶弔金贈与の識別情報である。例えば慶弔金管理サーバ１００は、贈与キー取得部１３２を更に備える。贈与キー取得部１３２は、贈与キーを贈与者端末３００から取得し、贈与指示取得部１１１が取得する贈与指示情報と対応付けて慶弔金データベース１１２に登録する。これにより、慶弔金データベース１１２は、贈与指示情報を慶弔金コード、受取キー及び贈与キーに対応付けて記憶する（図４参照）。この場合、受取キー設定部１３１は、複数の贈与指示情報が共通の贈与キーに対応付けられる場合に、当該複数の贈与指示情報に対して共通の受取キーを設定してもよい。複数の贈与指示情報が共通の贈与キーに対応付けられる場合の具体例としては、同一の式典用の慶弔金贈与のために複数の贈与指示情報が登録される場合が挙げられる。
【００２８】
慶弔金管理サーバ１００は、同一の式典用に定められた式典ＩＤ（共通の贈与キー）に対応する主催者ＩＤ（共通の受取キー）を予め設定するように構成されていてもよい。例えば慶弔金管理サーバ１００は、式典情報取得部１４１と、式典情報データベース１４２と、式典情報確認部１４３と、受取キー生成部１４４とを更に備える。
【００２９】
式典情報取得部１４１は、式典ＩＤを含む式典情報を式典運営サーバ２００から取得する。式典運営サーバ２００は、式典の運営に必要な情報管理及び決済処理等を行うサーバである。受取キー生成部１４４は、式典ＩＤに対応する主催者ＩＤを自動生成し、式典主催者（慶弔金の受取者）の受取者端末４００に送信する。
【００３０】
式典情報データベース１４２は、式典情報取得部１４１が取得した式典情報と、受取キー生成部１４４が生成した主催者ＩＤとを対応付けて記憶する。例えば式典情報データベース１４２は、式典ＩＤ、式典の主催者名、主催者連絡先、日時、及び会場等を主催者ＩＤに対応付けて記憶する（図６参照）。
【００３１】
式典情報確認部１４３は、贈与キー取得部１３２が取得した贈与キーが式典ＩＤである場合に、当該式典ＩＤに対応する主催者名、日時及び会場等を贈与者端末３００に送信し、当該式典ＩＤに対応する式典が贈与者の意図どおりの式典であるかの確認を要求する。式典ＩＤに対応する式典が贈与者の意図どおりの式典であることが確認された場合に、式典情報確認部１４３は、当該式典ＩＤに対応する主催者ＩＤを受取キーにすることを受取キー設定部１３１に要求する。これに応じ、受取キー設定部１３１が主催者ＩＤを受取キーにする。このため、同一の式典ＩＤが贈与キーとして入力される度に、当該式典ＩＤに対応する主催者ＩＤが共通の受取キーとして設定されることとなる。
【００３２】
図３に示すように、慶弔金管理サーバ１００は、慶弔金の受取に関する機能上の構成（以下、「機能モジュール」という。）として、受取指示取得部１６１と、受取認証部１６２と、受取内容確認部１６３と、送金処理部１６４とを備える。
【００３３】
受取指示取得部１６１は、受取者端末４００が読み取った慶弔金コードと、当該慶弔金コードに対応付けられた受取キーと、受取指示情報とを受取者端末４００から取得する。受取指示情報は、慶弔金の受取方法を定める情報である。受取方法の具体例としては、口座振り込み、電子マネーの振り込み等が挙げられる。受取指示情報は、必ずしも受取方法自体を直接的に示す情報でなくてもよい。例えば、受取者の識別情報と支払方法とが予め慶弔金管理サーバ１００に登録されている場合、受取者の識別情報も受取方法を定める情報となり得る。受取指示取得部１６１が受取者端末４００から取得する受取キー及び受取指示情報は、例えば受取者により受取者端末４００に入力された受取キー及び受取指示情報である。
【００３４】
受取認証部１６２は、受取指示取得部１６１が取得した慶弔金コードと受取キーとが慶弔金データベース１１２において対応付けられている場合に慶弔金の受取を許可し、当該慶弔金コードと受取キーとが慶弔金データベース１１２において対応付けられていない場合には慶弔金の受取を禁止する。受取内容確認部１６３は、慶弔金の内容の確認を受取者端末４００に要求する。
【００３５】
送金処理部１６４は、受取認証部１６２により慶弔金の受取が許可された場合に、慶弔金データベース１１２が記憶する贈与指示情報と受取指示取得部１６１が取得した受取指示情報とに従って贈与者から受取者への慶弔金の送金決済処理を実行する。送金決済処理は、必ずしも慶弔金を贈与者の口座から受取者の口座に直接移動させる処理に限られない。例えば送金処理部１６４は、贈与者の口座から自社の口座（慶弔金管理サーバ１００の管理会社の口座）に慶弔金を移動させるための第１決済処理を金融機関のサーバ等に要求し、自社の口座に慶弔金を取得した後に自社の口座から受取者の口座に慶弔金を移動させるための第２決済処理を金融機関のサーバに要求してもよい。送金処理部１６４は、贈与指示取得部１１１による贈与指示情報の登録が完了した時点で第１決済処理を金融機関のサーバに要求してもよい。また、送金処理部１６４は、支払方法が収納代行業者への現金払いである場合に、収納代行業者から主催者に慶弔金を移動させるための決済処理を行う。
【００３６】
慶弔金管理サーバ１００は、受取者端末４００から取得した受取キーが上記共通の受取キーである場合に、共通の受取キーに対応付けられた複数の贈与指示情報にそれぞれ従った複数の送金決済処理をまとめて実行するように構成されていてもよい。複数の送金決済処理をまとめて実行するとは、送金決済処理同士の間に受取者端末４００からの指示を取得することなく、複数の送金決済処理を実行することを意味する。例えば慶弔金管理サーバ１００は、キー種別判定部１７１と、読取要求部１７２と、決済対象バッファ１７３とを更に備える。
【００３７】
キー種別判定部１７１は、受取指示取得部１６１が取得した受取キーが共通の受取キー（例えば主催者ＩＤ）であるか否かを判定する。読取要求部１７２は、受取指示取得部１６１が取得した受取キーが共通の受取キーである場合に、当該受取キーに対応する複数の慶弔金コードの読み取りを受取者端末４００に要求する。読取要求部１７２からの要求に従って受取者端末４００が複数の慶弔金コードを読み取った場合、受取指示取得部１６１は、当該複数の慶弔金コードを共通の受取キーに対応付けて取得する。決済対象バッファ１７３は、共通の受取キーに対応付けて受取指示取得部１６１が取得した複数の慶弔金コードを記憶する。
【００３８】
受取内容確認部１６３は、決済対象バッファ１７３が記憶する複数の慶弔金コードにそれぞれ対応する複数の贈与指示情報を慶弔金データベース１１２から抽出し、当該複数の贈与指示情報（以下、「決済対象の複数の贈与指示情報」という。）に対応する慶弔金の内容の確認を受取者端末４００に要求する。送金処理部１６４は、決済対象の複数の贈与指示情報にそれぞれ従った複数の送金決済処理をまとめて実行する。
【００３９】
慶弔金管理サーバ１００は、共通の受取キーに対応付けて取得した複数の慶弔金コードの他の慶弔金コードが慶弔金データベースにおいて当該受取キーに更に対応付けられている場合に、読み取り漏れの慶弔金コードの存在を受取者端末４００に通知するように構成されていてもよい。例えば慶弔金管理サーバ１００は、贈与指示抽出部１８１と読取漏れ通知部１８２とを有する。
【００４０】
贈与指示抽出部１８１は、受取指示取得部１６１が取得した受取キーが共通の受取キーである場合に、当該受取キーに対応付けられた複数の贈与指示情報を慶弔金データベース１１２から抽出する。
【００４１】
読取漏れ通知部１８２は、贈与指示抽出部１８１が抽出した複数の贈与指示情報が、上記決済対象の複数の贈与指示情報に含まれていない贈与指示情報を含んでいる場合に、読み取り漏れの慶弔金コードの存在（以下、単に「読み取り漏れ」という。）を受取者端末４００に通知する。例えば読取漏れ通知部１８２は、慶弔金の内容の確認に際して受取内容確認部１６３が受取者端末４００に送る情報に、読み取り漏れを通知する情報を追加する。
【００４２】
慶弔金管理サーバ１００は、受取指示取得部１６１が取得した受取キーが共通の受取キーである場合に、当該受取キーに対応付けられた全ての贈与指示情報にそれぞれ従った複数の送金決済処理をまとめて実行するように構成されていてもよい。例えば送金処理部１６４は、贈与指示抽出部１８１が抽出した複数の贈与指示情報にそれぞれ従った複数の送金決済処理をまとめて実行してもよい。
【００４３】
図７は、慶弔金管理サーバ１００、贈与者端末３００、及び受取者端末４００のハードウェア構成を例示するブロック図である。慶弔金管理サーバ１００は、回路１９０を備える。回路１９０は、少なくとも一つのプロセッサ１９１と、メモリ１９２と、ストレージ１９３と、通信ポート１９４とを含む。
【００４４】
ストレージ１９３は、例えば少なくとも一つのハードディスク又は不揮発性メモリ等の記憶媒体であり、慶弔金の金額と支払方法とを定める贈与指示情報を贈与者端末３００から取得することと、贈与指示情報と、端末読み取り用の慶弔金コードと、慶弔金の受取キーとを対応付けて慶弔金データベースに保存することと、受取者端末４００が読み取った慶弔金コードと、当該慶弔金コードに対応付けられた受取キーと、慶弔金の受取方法を定める受取指示情報とを受取者端末４００から取得することと、受取者端末４００から取得した慶弔金コードと受取キーとが慶弔金データベースにおいて対応付けられている場合に、贈与指示情報と受取指示情報とに従って贈与者から受取者への慶弔金の送金決済処理を実行することと慶弔金管理サーバ１００に実行させるためのプログラムを記憶している。例えばストレージ１９３は、上述した慶弔金管理サーバ１００の機能モジュールを構成するためのプログラムを記憶している。
【００４５】
メモリ１９２は、ストレージ１９３からロードしたプログラム及びプロセッサ１９１による演算結果等を一時的に記憶する。プロセッサ１９１は、メモリ１９２と協働して上記プログラムを実行することで、慶弔金管理サーバ１００の各機能モジュールを構成する。通信ポート１９４は、プロセッサ１９１からの指令に応じ、贈与者端末３００及び受取者端末４００との間でネットワーク通信を行う。
【００４６】
贈与者端末３００は、回路３９０を備える。回路３９０は、少なくとも一つのプロセッサ３９１と、メモリ３９２と、ストレージ３９３と、通信ポート３９４と、表示デバイス３９５と、入力デバイス３９６と、コードリーダ３９７とを含む。ストレージ３９３は、例えば少なくとも一つのハードディスク又は不揮発性メモリ等の記憶媒体であり、上記贈与指示情報を入力するための贈与指示入力部を表示することと、贈与指示入力部に入力された贈与指示情報と、端末読み取り用の慶弔金コードと、慶弔金の受取キーとを対応付けて慶弔金管理サーバ１００の慶弔金データベース１１２に記憶させることとを贈与者端末３００に実行させるように構成されたプログラム（以下、「贈与者用プログラム」という。）を記憶している。贈与者用プログラムは、慶弔金の贈与者用に慶弔金コードを読み取るための贈与用読取部を表示することを贈与者端末３００に更に実行させ、贈与用読取部において読み取られた慶弔金コードと、贈与指示入力部に入力された贈与指示情報とを対応付けて慶弔金データベース１１２に記憶させることを贈与者端末３００に実行させるように構成されていてもよい。贈与者用プログラムは、贈与指示情報に対応する慶弔金コードの生成を慶弔金管理サーバ１００に要求するためのコード要求入力部を表示することと、慶弔金管理サーバ１００が生成した慶弔金コードを表示することとを贈与者端末３００に更に実行させるように構成されていてもよい。
【００４７】
メモリ３９２は、ストレージ３９３からロードしたプログラム及びプロセッサ３９１による演算結果等を一時的に記憶する。プロセッサ３９１は、メモリ３９２と協働して上記アプリケーションを実行する。通信ポート３９４は、プロセッサ３９１からの指令に応じ、慶弔金管理サーバ１００との間でネットワーク通信を行う。表示デバイス３９５は、例えば液晶モニタ等を含み、ユーザに対する情報表示に用いられる。入力デバイス３９６は、例えばキーボード等であり、ユーザによる入力情報を取得する。表示デバイス３９５及び入力デバイス３９６は、所謂タッチパネルのように一体化されていてもよい。コードリーダ３９７は、例えばカメラ、ＩＣチップのリーダ等であり、プロセッサ３９１からの指令に応じ慶弔金カード１０のコード保持部１１から慶弔金コードを読み取る。
【００４８】
受取者端末４００は、回路４９０を備える。回路４９０は、回路３９０と同様に、少なくとも一つのプロセッサ４９１と、メモリ４９２と、ストレージ４９３と、通信ポート４９４と、表示デバイス４９５と、入力デバイス４９６と、コードリーダ４９７とを含む。ストレージ４９３は、慶弔金の受取者用に慶弔金コードを読み取るための受取用読取部を表示することと、慶弔金の受取キーを入力するための受取キー入力部を表示することと、慶弔金の受取方法を定める受取指示情報を入力するための受取指示入力部を表示することと、受取用読取部において読み取られた慶弔金コードと、受取キー入力部に入力された受取キーとに対応付けられた贈与指示情報と、受取指示入力部に入力された受取指示情報とに従って贈与者から受取者への慶弔金の送金決済処理を慶弔金管理サーバ１００に要求することと、を受取者端末４００に実行させるように構成されているプログラム（以下、「受取者用プログラム」という。）を記憶している。
【００４９】
受取者用プログラムは、受取キー入力部に入力された受取キーが、慶弔金データベース１１２において複数の贈与指示情報に対応付けられている場合に、受取用読取部の表示を反復させることを受取者端末４００に更に実行させ、反復表示された受取用読取部において複数の慶弔金コードが読み取られた場合に、当該複数の慶弔金コードにそれぞれ対応付けられた複数の贈与指示情報にそれぞれ従った複数の前記送金決済処理をまとめて慶弔金管理サーバに要求することを受取者端末４００に実行させるように構成されていてもよい。
【００５０】
受取者用プログラムは、反復表示された受取用読取部においてそれぞれ読み取られた複数の慶弔金コードの他の慶弔金コードと、受取キー入力部に入力された受取キーとが、慶弔金データベース１１２において更に対応付けられている場合に、読み取り漏れの慶弔金コードの存在を通知する通知画面を表示することを更に受取者端末４００に実行させるように構成されていてもよい。
【００５１】
メモリ４９２は、ストレージ４９３からロードしたプログラム及びプロセッサ４９１による演算結果等を一時的に記憶する。プロセッサ４９１は、メモリ４９２と協働して上記アプリケーションを実行する。通信ポート４９４は、プロセッサ４９１からの指令に応じ、慶弔金管理サーバ１００との間でネットワーク通信を行う。表示デバイス４９５は、例えば液晶モニタ等を含み、ユーザに対する情報表示に用いられる。入力デバイス４９６は、例えばキーボード等であり、ユーザによる入力情報を取得する。表示デバイス４９５及び入力デバイス４９６は、所謂タッチパネルのように一体化されていてもよい。コードリーダ４９７は、例えばカメラ、ＩＣチップのリーダ等であり、プロセッサ４９１からの指令に応じ慶弔金カード１０のコード保持部１１から慶弔金コードを読み取る。
【００５２】
なお、複数の贈与者端末３００のストレージ３９３及び受取者端末４００のストレージ４９３のそれぞれは、上述した贈与者用プログラムと受取者用プログラムとを組み合わせた共通プログラムを記憶していてもよい。この場合、同じ端末を、贈与者端末３００及び受取者端末４００のいずれとしても利用することが可能となる。
【００５３】
〔慶弔金管理手順〕
続いて、慶弔金管理方法の一例として、慶弔金管理サーバ１００が実行する慶弔金管理手順を例示する。この手順は、贈与指示情報を贈与者端末３００から取得することと、贈与指示情報と、慶弔金コードと、受取キーとを対応付けて慶弔金データベース１１２に保存することと、受取者端末４００が読み取った慶弔金コードと、当該慶弔金コードに対応付けられた受取キーと、受取指示情報とを受取者端末４００から取得することと、受取者端末４００から取得した慶弔金コードと受取キーとが慶弔金データベース１１２において対応付けられている場合に、贈与指示情報と受取指示情報とに従って贈与者から受取者への慶弔金の送金決済処理を実行することと、を含む。以下、慶弔金管理手順を式典情報登録手順と、慶弔金登録手順と、慶弔金受取手順とに分けて、各手順を詳細に例示する。
【００５４】
（式典情報登録手順）
図８に示すように、式典主催者の端末（受取者端末４００）は、まずステップＳ０１を実行する。ステップＳ０１では、受取者端末４００が式典情報の登録を式典運営サーバ２００に要求する。
【００５５】
これに応じ、式典運営サーバ２００はステップＳ１１を実行する。ステップＳ１１では、式典運営サーバ２００が式典内容に関する情報の送信を受取者端末４００に要求する。
【００５６】
これに応じ、受取者端末４００はステップＳ０２，Ｓ０３を実行する。ステップＳ０２では、受取者端末４００が式典内容に関する情報の入力画面を表示する。ステップＳ０３では、受取者端末４００が入力画面に入力された情報を式典運営サーバ２００に送信する。
【００５７】
これに応じ、式典運営サーバ２００はステップＳ１２，Ｓ１３を実行する。ステップＳ１２では、式典運営サーバ２００が、式典ＩＤを自動生成し、受取者端末４００から取得した式典内容の情報を式典ＩＤに対応付けて式典データベースに登録する。ステップＳ１３では、式典運営サーバ２００が、式典ＩＤを含む登録内容を慶弔金管理サーバ１００及び受取者端末４００に送信する。
【００５８】
ステップＳ１３における登録内容の送信に応じ、慶弔金管理サーバ１００はステップＳ２１，Ｓ２２，Ｓ２３を実行する。ステップＳ２１では、式典情報取得部１４１が、式典ＩＤを含む式典情報を取得して式典情報データベース１４２に登録する。ステップＳ２２では、受取キー生成部１４４が、受取キー生成部１４４は、式典ＩＤに対応する主催者ＩＤを自動生成し、当該式典ＩＤに対応付けて式典情報データベース１４２に登録する。ステップＳ２３では、受取キー生成部１４４が慶弔金コードの利用案内と、主催者ＩＤとを受取者端末４００に送信する。慶弔金コードの利用案内は、少なくとも以下の利用説明を含む。
ｉ）  慶弔金コードを利用するためのアプリケーションを提供するサイトへのリンク。
ｉｉ）  式典の招待客が贈与者として慶弔金コードを利用する際には、式典ＩＤを贈与キーとすること。
ｉｉｉ）  式典の主催者が受取者として慶弔金コードを利用する際には、主催者ＩＤを受取キーとすること。
【００５９】
ステップＳ１３における登録内容の送信と、ステップＳ２３における主催者ＩＤの送信とに応じて、受取者端末４００はステップＳ０４を実行する。ステップＳ０４では、受取者端末４００が、式典ＩＤと、式典内容と、主催者ＩＤと、慶弔金コードの利用案内とを表示する。この利用案内に従って、主催者が招待客に式典ＩＤを通知することによって、招待客が式典ＩＤを上記共通の贈与キーとして用いることとなる。以上で式典情報登録手順が完了する。
【００６０】
（慶弔金登録手順）
図９に示すように、贈与者端末３００は、まずステップＳ３１，Ｓ３２を実行する。ステップＳ３１では、贈与者端末３００が、慶弔金の金額、贈与者情報（例えば贈与キー、贈与者名及び贈与者連絡先等）及び贈与キーの入力画面を表示する。ステップＳ３２では、贈与者端末３００が、入力画面に入力された慶弔金の金額、贈与者情報及び贈与キーを慶弔金管理サーバ１００に送信する。
【００６１】
これに応じ慶弔金管理サーバ１００は、ステップＳ５１，Ｓ５２を実行する。ステップＳ５１では、贈与指示取得部１１１が慶弔金の金額及び贈与者情報を取得して慶弔金データベース１１２に登録する。この際に、贈与指示取得部１１１は、支払金額及び受取金額の両方を慶弔金の金額に一致させる。また、ステップＳ５１では、贈与キー取得部１３２が贈与キーを取得し、贈与指示取得部１１１が取得する贈与指示情報と対応付けて慶弔金データベース１１２に登録する。ステップＳ５２では、贈与指示取得部１１１が、ステップＳ５１において取得された贈与キーが式典ＩＤ（共通の贈与キー）であるか否かを確認する。例えば贈与指示取得部１１１は、贈与キーが式典ＩＤとして式典情報データベース１４２に登録されているか否かを確認する。
【００６２】
ステップＳ５２において、贈与キーが式典ＩＤではないと判定した場合、慶弔金管理サーバ１００はステップＳ５３を実行する。ステップＳ５３では、受取キー設定部１３１が、贈与キーに対応する受取キーを自動生成し、ステップＳ５１で贈与指示取得部１１１が登録した情報と対応付けて慶弔金データベース１１２に登録する。
【００６３】
ステップＳ５２において、贈与キーが式典ＩＤであると判定した場合、慶弔金管理サーバ１００はステップＳ５４を実行する。ステップＳ５４では、式典情報確認部１４３が、当該式典ＩＤに対応する主催者名、日時及び会場等を贈与者端末３００に送信し、当該式典ＩＤに対応する式典が贈与者の意図どおりの式典であるかの確認を要求する。
【００６４】
これに応じ、贈与者端末３００はステップＳ３３，Ｓ３４を実行する。ステップＳ３３では、贈与者端末３００が、主催者名、日時及び会場等の確認画面を表示する。確認画面は、式典内容を承認するか否かの入力部を含む。ステップＳ３４では、確認画面において式典内容が承認されたか否かを贈与者端末３００が確認する。ステップＳ３４において式典内容が承認されなかったと判定した場合、贈与者端末３００は処理をステップＳ３１に戻す。
【００６５】
ステップＳ３４において式典内容が承認されたと判定された場合、慶弔金管理サーバ１００はステップＳ５５を実行する。ステップＳ５５では、受取キー設定部１３１が、式典ＩＤに対応付けて式典情報データベース１４２に登録されている主催者ＩＤを受取キーにし、ステップＳ５１で贈与指示取得部１１１が登録した情報と対応付けて慶弔金データベース１１２に登録する。
【００６６】
ステップＳ５３，Ｓ５５の次に、慶弔金管理サーバ１００はステップＳ５６を実行する。ステップＳ５６では、既存コード取得部１２１が、慶弔金コードの送信を贈与者端末３００に要求する。これに応じ贈与者端末３００は、ステップＳ３５，Ｓ３６を実行する。ステップＳ３５では、贈与者端末３００が、新規コード及び既存コードの選択画面を表示する。ステップＳ３６では、選択画面の入力結果に基づいて、既存コードが選択されたか否かを贈与者端末３００が確認する。
【００６７】
ステップＳ３６において、既存コードが選択されたと判定した場合、贈与者端末３００はステップＳ３７，Ｓ３８を実行する。ステップＳ３７では、贈与者端末３００が、既存コードの読取画面を表示する。ステップＳ３７では、贈与者端末３００が、読取画面において読み取られた慶弔金コードを慶弔金管理サーバ１００に送信する。
【００６８】
これに応じ慶弔金管理サーバ１００はステップＳ５７を実行する。ステップＳ５７では、既存コード取得部１２１が、贈与者端末３００が読み取った慶弔金コードを贈与者端末３００から取得し、ステップＳ５１で贈与指示取得部１１１が取得した情報と対応付けて慶弔金データベース１１２に登録する。
【００６９】
ステップＳ３６において、新規コードが選択されたと判定された場合、慶弔金管理サーバ１００はステップＳ６１，Ｓ６２を実行する。ステップＳ６１では、コード生成部１５１が、贈与指示情報に対応する慶弔金コードを自動生成し、ステップＳ５１で贈与指示取得部１１１が取得した情報と対応付けて慶弔金データベース１１２に登録する。ステップＳ６２では、加算処理部１５２が、贈与者の支払金額（慶弔金データベース１１２の贈与指示情報の支払金額）にコード生成費用を加算する。
【００７０】
ステップＳ５７，Ｓ６２の次に、慶弔金管理サーバ１００はステップＳ６３を実行する。ステップＳ６３では、支払内容確認部１１３が、贈与指示情報に従った支払い内容が贈与者の意図どおりであるかの確認を贈与者端末３００に要求する。
【００７１】
これに応じ、贈与者端末３００はステップＳ４１，Ｓ４２を実行する。ステップＳ４１では、贈与者端末３００が、支払い内容の確認画面を表示する。確認画面は、支払い内容を承認するか否かの入力部を含む。ステップＳ４２では、確認画面において支払い内容が承認されたか否かを贈与者端末３００が確認する。ステップＳ４２において支払い内容が承認されなかったと判定した場合、贈与者端末３００は処理をステップＳ３１に戻す。
【００７２】
図１０に示すように、ステップＳ４２において支払い内容が承認されたと判定された場合、慶弔金管理サーバ１００はステップＳ６４を実行する。ステップＳ６４では、贈与指示取得部１１１が、慶弔金の支払方法の送信を贈与者端末３００に要求する。
【００７３】
これに応じ、贈与者端末３００はステップＳ４３，Ｓ４４を実行する。ステップＳ４３では、贈与者端末３００が、支払方法の入力画面を表示する。この入力画面は、先払い（現時点で支払う）か、後払い（受取の認証後に支払う）かを選択する入力部を含む。ステップＳ４４では、贈与者端末３００が、入力画面に入力された支払方法を慶弔金管理サーバ１００に送信する。
【００７４】
これに応じ、慶弔金管理サーバ１００はステップＳ６５，Ｓ６６を実行する。ステップＳ６５では、贈与指示取得部１１１が支払方法の情報を取得し、ステップＳ５１で取得した情報と対応付けて慶弔金データベース１１２に登録する。ステップＳ６６では、支払方法が後払いであるか否かを送金処理部１６４が確認する。
【００７５】
ステップＳ６６において、支払方法は先払いであると判定した場合、慶弔金管理サーバ１００はステップＳ６７を実行する。ステップＳ６７では、送金処理部１６４が、贈与者の口座から自社の口座（慶弔金管理サーバ１００の管理会社の口座）に慶弔金を移動させるための決済処理を金融機関のサーバ等に要求する。
【００７６】
次に、慶弔金管理サーバ１００はステップＳ６８を実行する。ステップＳ６６において支払方法は後払いであると判定した場合、慶弔金管理サーバ１００はステップＳ６７を実行することなくステップＳ６８を実行する。ステップＳ６８では、登録内容送信部１１５が、慶弔金データベース１１２の登録内容の少なくとも一部を贈与者端末３００に送信する。登録内容送信部１１５が送信する内容は、ステップＳ５３で生成された受取キーと、ステップＳ６１で生成された慶弔金コードとを含む。
【００７７】
これに応じ、贈与者端末３００はステップＳ４５を実行する。ステップＳ４５では、贈与者端末３００が、慶弔金管理サーバ１００から取得した登録内容を表示する。この表示内容に含まれる受取キーは、必要に応じて贈与者から受取者に伝達される。例えば、ステップＳ５３で生成された受取キーが贈与者から受取者に伝達される。また、この表示内容に含まれる慶弔金コードは、慶弔金カードに印刷して用いられる。以上で慶弔金登録手順が完了する。
【００７８】
（慶弔金受取手順）
図１１に示すように、受取者端末４００はステップＳ７１，Ｓ７２を実行する。ステップＳ７１では、受取者端末４００が、慶弔金コードの読取画面を表示する。ステップＳ７２では、受取者端末４００が、読取画面において読み取られた慶弔金コードを慶弔金管理サーバ１００に送信する。
【００７９】
これに応じ、慶弔金管理サーバ１００はステップＳ９１，Ｓ９２を実行する。ステップＳ９１では、受取指示取得部１６１が、受取者端末４００から慶弔金コードを取得する。ステップＳ９２では、受取指示取得部１６１が、ステップＳ９１で取得した慶弔金コードに対応する受取キーの送信を受取者端末４００に要求する。
【００８０】
これに応じ、受取者端末４００はステップＳ７３，Ｓ７４を実行する。ステップＳ７３では、受取者端末４００が、受取キーの入力画面を表示する。ステップＳ７４では、受取者端末４００が、入力画面に入力された受取キーを慶弔金管理サーバ１００に送信する。
【００８１】
これに応じ、慶弔金管理サーバ１００はステップＳ９３，Ｓ９４を実行する。ステップＳ９３では、受取指示取得部１６１が受取キーを取得する。ステップＳ９４では、取得した慶弔金コードと受取キーとが慶弔金データベース１１２において対応付けられているか否かに基づいて、慶弔金の受取を許可するか否かを受取指示取得部１６１が決定する。ステップＳ９４において、慶弔金の受取を禁止すると決定した場合、慶弔金管理サーバ１００は処理をステップＳ９２に戻す。
【００８２】
ステップＳ９４において、慶弔金の受取を許可すると決定した場合、慶弔金管理サーバ１００はステップＳ９５を実行する。ステップＳ９５では、受取指示取得部１６１が取得した受取キーが主催者ＩＤ（共通の受取キー）であるか否かをキー種別判定部１７１が確認する。
【００８３】
ステップＳ９５において、受取キーが主催者ＩＤであると判定した場合、慶弔金管理サーバ１００はステップＳ９６を実行する。ステップＳ９６では、読取要求部１７２が、慶弔金コード（受取指示取得部１６１が取得した最新の慶弔金コード）を受取キーに対応付けて決済対象バッファ１７３に登録し、当該受取キーに対応する他の慶弔金コードの読み取りを受取者端末４００に要求する。
【００８４】
これに応じ、受取者端末４００は、ステップＳ７５，Ｓ７６を実行する。ステップＳ７５では、受取者端末４００が、慶弔金コードの再読取画面を表示する。再読取画面は、読み取りを中止して決済を要求する入力部を有する。ステップＳ７６では、再読取画面において決済が要求されているか否かを受取者端末４００が確認する。
【００８５】
ステップＳ７６において決済は要求されていないと判定した場合、受取者端末４００はステップＳ７７を実行する。ステップＳ７７では、受取者端末４００が、再読取画面において読み取られた慶弔金コードを慶弔金管理サーバ１００に送信する。
【００８６】
これに応じ、慶弔金管理サーバ１００はステップＳ９７を実行する。ステップＳ９７では、受取指示取得部１６１が慶弔金コードを取得する。その後、慶弔金管理サーバ１００は処理をステップＳ９６に戻す。以後、受取者端末４００の再読取り画面において決済が要求されるまでは、共通の受取キー（主催者ＩＤ）に対応する慶弔金コードの決済対象バッファ１７３への登録が繰り返される。
【００８７】
ステップＳ７６において決済が要求されていると判定された場合、慶弔金管理サーバ１００はステップＳ９８を実行する。ステップＳ９８では、贈与指示抽出部１８１が、共通の受取キー（主催者ＩＤ）に対応付けられた複数の贈与指示情報を慶弔金データベース１１２から抽出する。その後、贈与指示抽出部１８１が抽出した複数の贈与指示情報が、上記決済対象の複数の贈与指示情報に含まれていない贈与指示情報を含んでいるか否かを読取漏れ通知部１８２が確認し、確認結果を示す情報を生成する。
【００８８】
次に、慶弔金管理サーバ１００はステップＳ９９を実行する。ステップＳ９９では、受取内容確認部１６３が、慶弔金の内容の確認を受取者端末４００に要求する。例えば受取内容確認部１６３は、決済対象バッファ１７３が記憶する複数の慶弔金コードにそれぞれ対応する複数の贈与指示情報を慶弔金データベース１１２から抽出し、当該複数の贈与指示情報（以下、「決済対象の複数の贈与指示情報」という。）に対応する慶弔金の内容の確認を受取者端末４００に要求する。この際に、受取内容確認部１６３は、ステップＳ９８における読み取り漏れの確認結果を受取者端末４００に通知する。
【００８９】
ステップＳ９５において、受取キーは主催者ＩＤでないと判定した場合、慶弔金管理サーバ１００は、ステップＳ９６〜Ｓ９８を実行することなくステップＳ９９を実行する。この場合、受取内容確認部１６３は、ステップＳ９１で取得された慶弔金コードに対応する慶弔金の内容の確認を受取者端末４００に要求する。
【００９０】
ステップＳ９９に応じ、受取者端末４００はステップＳ７８，Ｓ７９を実行する。ステップＳ７８では、受取者端末４００が、慶弔金の内容の確認画面を表示する。この確認画面は、慶弔金の内容を承認するか否かの入力部を含む。また、この確認画面は、ステップＳ９８における読み取り漏れの確認結果の表示も含む。ステップＳ７９では、確認画面において慶弔金の内容が承認されたか否かを受取者端末４００が確認する。ステップＳ７９において式典内容が承認されなかったと判定した場合、受取者端末４００は処理をステップＳ７１に戻す。
【００９１】
ステップＳ７９において式典内容が承認されたと判定した場合、慶弔金管理サーバ１００はステップＳ１０１を実行する。ステップＳ１０１では、受取指示取得部１６１が、慶弔金の受取方法の送信を受取者端末４００に要求する。
【００９２】
これに応じ、受取者端末４００はステップＳ８１，Ｓ８２を実行する。ステップＳ８１では、受取者端末４００が、受取方法の入力画面を表示する。ステップＳ８２では、受取者端末４００が、入力画面に入力された受取方法を慶弔金管理サーバ１００に送信する。
【００９３】
これに応じ、慶弔金管理サーバ１００はステップＳ１０２を実行する。ステップＳ１０２では、慶弔金データベース１１２が記憶する贈与指示情報と受取指示取得部１６１が取得した受取指示情報とに従って贈与者から受取者への慶弔金の送金決済処理を送金処理部１６４が実行する。例えば送金処理部１６４は、贈与者の口座から受取者の口座に慶弔金を移動させるための決済処理を金融機関のサーバに要求する。ステップＳ６７において、贈与者の口座から自社の口座に慶弔金を移動させるための決済処理が既に実行されている場合、送金処理部１６４は、自社の口座から受取者の口座に慶弔金を移動させるための決済処理を金融機関のサーバに要求する。受取キーが主催者ＩＤである場合、送金処理部１６４は、上記決済対象の複数の贈与指示情報にそれぞれ従った複数の送金決済処理をまとめて実行する。以上で慶弔金受取手順が完了する。
【００９４】
〔本実施形態の効果〕
以上に説明したように、慶弔金管理サーバ１００は、慶弔金の金額と支払方法とを定める贈与指示情報を贈与者端末３００から取得する贈与指示取得部１１１と、贈与指示情報と、端末読み取り用の慶弔金コードと、慶弔金の受取キーとを対応付けて記憶する慶弔金データベース１１２と、慶弔金の受取者の受取者端末４００が読み取った慶弔金コードと、当該慶弔金コードに対応付けられた受取キーと、慶弔金の受取方法を定める受取指示情報とを受取者端末４００から取得する受取指示取得部１６１と、受取指示取得部１６１が取得した慶弔金コードと受取キーとが慶弔金データベース１１２において対応付けられている場合に、贈与指示情報と受取指示情報とに従って贈与者から受取者への慶弔金の送金決済処理を実行する送金処理部１６４と、を備える。
【００９５】
この慶弔金管理サーバ１００によれば、慶弔金コードの印刷物を贈与者から受取者に手渡すプロセスを介在させることができる。また、慶弔金の受取段階においては、受取キーに基づく認証が必要となる。このため、慶弔金コードの印刷物が受取者の他の者に渡ってしまった場合であっても、当該他の者により慶弔金が入手されるリスクは低減される。従って、慶弔金の贈与及び受け取りの実感を保った電子決済の実現に有効である。
【００９６】
慶弔金管理サーバ１００は、贈与者端末３００が読み取った慶弔金コードを贈与者端末３００から取得する既存コード取得部１２１を更に備え、慶弔金データベース１１２は、贈与指示取得部１１１が取得した贈与指示情報と既存コード取得部１２１が取得した慶弔金コードとを対応付けて記憶してもよい。この場合、予め印刷された慶弔金コードを、事後的に贈与指示情報に対応付けることが可能となる。このため、デザイン性の高い慶弔金コードの印刷物を予め準備し、慶弔金コードの利用意欲を高めることができる。
【００９７】
慶弔金管理サーバ１００は、贈与指示情報が贈与者端末３００から取得されるのに応じて当該贈与指示情報に対応する受取キーを自動設定する受取キー設定部を更に備え、慶弔金データベース１１２は、贈与指示取得部１１１が取得した贈与指示情報と受取キー設定部が設定した受取キーとを対応付けて記憶してもよい。この場合、慶弔金管理サーバ１００側で受取キーを設定することで、受取キーによる認証の堅牢性を高め、慶弔金コードによる電子決済の安全性を更に向上させることができる。
【００９８】
慶弔金管理サーバ１００は、贈与指示情報に対応付けられた贈与キーを贈与者端末３００から取得する贈与キー取得部１３２を更に備え、受取キー設定部１３１は、複数の贈与指示情報が共通の贈与キーに対応付けられる場合に、当該複数の贈与指示情報に対して共通の受取キーを設定してもよい。この場合、受取キーの共通化によって、受取者による操作の簡素化を図ることができる。
【００９９】
受取指示取得部１６１が取得した受取キーが共通の受取キーである場合に、送金処理部１６４は共通の受取キーに対応付けられた複数の贈与指示情報と受取指示情報とに従った送金決済処理をまとめて実行してもよい。この場合、受取者による操作の簡素化を更に図ることができる。
【０１００】
慶弔金管理サーバ１００は、受取指示取得部１６１が取得した受取キーが共通の受取キーである場合に、当該受取キーに対応する複数の慶弔金コードの読み取りを受取者端末４００に要求する読取要求部１７２を更に備え、受取指示取得部１６１は、読取要求部１７２からの要求に従って受取者端末４００が読み取った複数の慶弔金コードを共通の受取キーに対応付けて取得し、送金処理部１６４は、共通の受取キーに対応付けて受取指示取得部１６１が取得した複数の慶弔金コードにそれぞれ対応する複数の贈与指示情報にそれぞれ従った複数の送金決済処理をまとめて実行してもよい。この場合、複数の慶弔金コードが共通の受取キーに対応付けられている場合であっても、複数の慶弔金コードのそれぞれの読み取り作業は実行されることとなる。従って、受取者による操作の簡素化と、慶弔金の受け取りの実感との両立を図ることができる。
【０１０１】
慶弔金管理サーバ１００は、共通の受取キーに対応付けて受取指示取得部１６１が取得した複数の慶弔金コードの他の慶弔金コードが慶弔金データベース１１２において当該受取キーに更に対応付けられている場合に、読み取り漏れの慶弔金コードの存在を受取者端末４００に通知する読取漏れ通知部１８２を更に備えていてもよい。この場合、慶弔金の受取漏れの防止と、慶弔金の受け取りの実感との両立を図ることができる。
【０１０２】
慶弔金管理サーバ１００は、受取指示取得部１６１が取得した受取キーが共通の受取キーである場合に、当該受取キーに対応付けられた複数の贈与指示情報を慶弔金データベースから抽出する贈与指示抽出部１８１を更に備え、送金処理部１６４は、贈与指示抽出部１８１が抽出した複数の贈与指示情報にそれぞれ従った複数の送金決済処理をまとめて実行してもよい。この場合、受取者による操作の簡素化を更に図ることができる。
【０１０３】
慶弔金管理サーバ１００は、贈与者端末３００からの要求に応じて、贈与指示情報に対応する慶弔金コードを自動生成するコード生成部１５１と、慶弔金コードの生成を要求した贈与者端末３００にコード生成部１５１が生成した慶弔金コードを送信する登録内容送信部１１５とを更に備え、コード生成部１５１が慶弔金コードを生成する場合に、慶弔金データベース１１２は、贈与指示取得部１１１が取得した贈与指示情報とコード生成部１５１が生成した慶弔金コードとを対応付けて記憶してもよい。この場合、慶弔金コードの印刷物事前に入手することなく、贈与指示情報の登録が可能となるので、贈与者の使い勝手が向上する。
【０１０４】
慶弔金管理サーバ１００は、コード生成部１５１が慶弔金コードを生成する場合に、贈与者の支払金額にコード生成費用を加算する加算処理部１５２を更に備えていてもよい。この場合、コード生成費用に送金手数料を含めることで、利用者の実感を抑えつつ送金手数料を徴収することが可能となる。なお、予め準備された慶弔金コードの印刷物を贈与者に利用させる場合には、当該印刷物の料金に送金手数料を含めることが可能である。
【符号の説明】
【０１０５】
１００…慶弔金管理サーバ（慶弔金管理装置）、１１１…贈与指示取得部、１１２…慶弔金データベース、１１５…登録内容送信部（コード送信部）、１２１…既存コード取得部、１３１…受取キー設定部、１３２…贈与キー取得部、１５１…コード生成部、１５２…加算処理部、１６１…受取指示取得部、１６４…送金処理部、１７２…読取要求部、１８１…贈与指示抽出部、１８２…読取漏れ通知部、３００…贈与者端末（贈与者の端末）、４００…受取者端末（受取者の端末）。
【図１】
2020098426.tif 000003
【図２】
2020098426.tif 000004
【図３】
2020098426.tif 000005
【図４】
2020098426.tif 000006
【図５】
2020098426.tif 000007
【図６】
2020098426.tif 000008
【図７】
2020098426.tif 000009
【図８】
2020098426.tif 000010
【図９】
2020098426.tif 000011
【図１０】
2020098426.tif 000012
【図１１】
2020098426.tif 000013
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
慶弔金の金額と支払方法とを定める贈与指示情報を贈与者の端末から取得する贈与指示取得部と、
前記贈与指示情報と、端末読み取り用の慶弔金コードと、前記慶弔金の受取キーとを対応付けて記憶する慶弔金データベースと、
前記慶弔金の受取者の端末が読み取った前記慶弔金コードと、当該慶弔金コードに対応付けられた受取キーと、前記慶弔金の受取方法を定める受取指示情報とを前記受取者の端末から取得する受取指示取得部と、
前記受取指示取得部が取得した前記慶弔金コードと前記受取キーとが前記慶弔金データベースにおいて対応付けられている場合に、前記贈与指示情報と前記受取指示情報とに従って前記贈与者から前記受取者への前記慶弔金の送金決済処理を実行する送金処理部と、
前記贈与者の端末が読み取った前記慶弔金コードを前記贈与者の端末から取得する既存コード取得部と、を備え、
前記慶弔金データベースは、前記贈与指示取得部が取得した前記贈与指示情報と前記既存コード取得部が取得した前記慶弔金コードとを対応付けて記憶する慶弔金管理装置。
【請求項２】
前記贈与指示情報が前記贈与者の端末から取得されるのに応じて当該贈与指示情報に対応する受取キーを自動設定する受取キー設定部を更に備え、
前記慶弔金データベースは、前記贈与指示取得部が取得した前記贈与指示情報と前記受取キー設定部が設定した前記受取キーとを対応付けて記憶する、請求項１記載の慶弔金管理装置。
【請求項３】
前記贈与指示情報に対応付けられた贈与キーを前記贈与者の端末から取得する贈与キー取得部を更に備え、
前記受取キー設定部は、複数の前記贈与指示情報が共通の前記贈与キーに対応付けられる場合に、当該複数の贈与指示情報に対して共通の受取キーを設定する、請求項２記載の慶弔金管理装置。
【請求項４】
前記受取指示取得部が取得した前記受取キーが前記共通の受取キーである場合に、前記送金処理部は前記共通の受取キーに対応付けられた複数の前記贈与指示情報と前記受取指示情報とに従った前記送金決済処理をまとめて実行する、請求項３記載の慶弔金管理装置。
【請求項５】
前記受取指示取得部が取得した前記受取キーが前記共通の受取キーである場合に、当該受取キーに対応する複数の前記慶弔金コードの読み取りを前記受取者の端末に要求する読取要求部を更に備え、
前記受取指示取得部は、前記読取要求部からの要求に従って前記受取者の端末が読み取った複数の前記慶弔金コードを前記共通の受取キーに対応付けて取得し、
前記送金処理部は、前記共通の受取キーに対応付けて前記受取指示取得部が取得した複数の前記慶弔金コードにそれぞれ対応する複数の前記贈与指示情報にそれぞれ従った複数の前記送金決済処理をまとめて実行する、請求項４記載の慶弔金管理装置。
【請求項６】
前記共通の受取キーに対応付けて前記受取指示取得部が取得した複数の前記慶弔金コードの他の前記慶弔金コードが前記慶弔金データベースにおいて当該受取キーに更に対応付けられている場合に、読み取り漏れの前記慶弔金コードの存在を前記受取者の端末に通知する読取漏れ通知部を更に備える、請求項５記載の慶弔金管理装置。
【請求項７】
前記受取指示取得部が取得した前記受取キーが前記共通の受取キーである場合に、当該受取キーに対応付けられた複数の前記贈与指示情報を前記慶弔金データベースから抽出する贈与指示抽出部を更に備え、
前記送金処理部は、前記贈与指示抽出部が抽出した複数の前記贈与指示情報にそれぞれ従った複数の前記送金決済処理をまとめて実行する、請求項４記載の慶弔金管理装置。
【請求項８】
前記贈与者の端末からの要求に応じて、前記贈与指示情報に対応する慶弔金コードを自動生成するコード生成部と、
前記慶弔金コードの生成を要求した前記贈与者の端末に前記コード生成部が生成した前記慶弔金コードを送信するコード送信部とを更に備え、
前記コード生成部が前記慶弔金コードを生成する場合に、前記慶弔金データベースは、前記贈与指示取得部が取得した前記贈与指示情報と前記コード生成部が生成した前記慶弔金コードとを対応付けて記憶する、請求項１〜７のいずれか一項記載の慶弔金管理装置。
【請求項９】
前記コード生成部が前記慶弔金コードを生成する場合に、前記贈与者の支払金額にコード生成費用を加算する加算処理部を更に備える、請求項８記載の慶弔金管理装置。
【請求項１０】
慶弔金の金額と支払方法とを定める贈与指示情報を贈与者の端末から取得することと、
前記贈与指示情報と、端末読み取り用の慶弔金コードと、前記慶弔金の受取キーとを対応付けて慶弔金データベースに保存することと、
前記慶弔金の受取者の端末が読み取った前記慶弔金コードと、当該慶弔金コードに対応付けられた受取キーと、前記慶弔金の受取方法を定める受取指示情報とを前記受取者の端末から取得することと、
前記受取者の端末から取得した前記慶弔金コードと前記受取キーとが前記慶弔金データベースにおいて対応付けられている場合に、前記贈与指示情報と前記受取指示情報とに従って前記贈与者から前記受取者への前記慶弔金の送金決済処理を実行することと、
前記贈与者の端末が読み取った前記慶弔金コードを前記贈与者の端末から取得することと、
前記贈与指示情報と、前記贈与者の端末から取得した前記慶弔金コードとを対応付けて前記慶弔金データベースに保存することと、を含む慶弔金管理方法。
【請求項１１】
慶弔金の贈与者用に、前記慶弔金の金額と支払方法とを定める贈与指示情報を入力するための贈与指示入力部を表示することと、
前記贈与指示入力部に入力された前記贈与指示情報と、端末読み取り用の慶弔金コードと、前記慶弔金の受取キーとを対応付けて慶弔金管理サーバの慶弔金データベースに記憶させることと、
前記慶弔金の受取者用に前記慶弔金コードを読み取るための受取用読取部を表示することと、
前記慶弔金の受取キーを入力するための受取キー入力部を表示することと、
前記慶弔金の受取方法を定める受取指示情報を入力するための受取指示入力部を表示することと、
受取用読取部において読み取られた前記慶弔金コードと、前記受取キー入力部に入力された前記受取キーとに対応付けられた前記贈与指示情報と、前記受取指示入力部に入力された前記受取指示情報とに従って前記贈与者から前記受取者への前記慶弔金の送金決済処理を前記慶弔金管理サーバに要求することと、
前記贈与者用に慶弔金コードを読み取るための贈与用読取部を表示することと、
前記贈与用読取部において読み取られた慶弔金コードと、前記贈与指示入力部に入力された贈与指示情報とを対応付けて前記慶弔金データベースに記憶させることと、を端末に実行させるように構成されているプログラム。
【請求項１２】
前記受取キー入力部に入力された前記受取キーが、前記慶弔金データベースにおいて複数の前記贈与指示情報に対応付けられている場合に、前記受取用読取部の表示を反復させることを前記端末に更に実行させ、
反復表示された前記受取用読取部において複数の前記慶弔金コードが読み取られた場合に、当該複数の慶弔金コードにそれぞれ対応付けられた複数の前記贈与指示情報と、前記受取指示入力部に入力された前記受取指示情報とに従った前記送金決済処理をまとめて前記慶弔金管理サーバに要求することを前記端末に実行させるように構成されている、請求項１１記載のプログラム。
【請求項１３】
反復表示された前記受取用読取部においてそれぞれ読み取られた複数の前記慶弔金コードの他の前記慶弔金コードと、前記受取キー入力部に入力された前記受取キーとが、前記慶弔金データベースにおいて更に対応付けられている場合に、読み取り漏れの前記慶弔金コードの存在を通知する通知画面を表示することを更に前記端末に実行させるように構成されている、請求項１２記載のプログラム。
【請求項１４】
前記贈与指示情報に対応する慶弔金コードの生成を慶弔金管理サーバに要求するためのコード要求入力部を表示することと、
前記慶弔金管理サーバが生成した前記慶弔金コードを表示することとを前記端末に更に実行させるように構成されている、請求項１１〜１３のいずれか一項記載のプログラム。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
慶弔金の金額と支払方法とを定める贈与指示情報を贈与者の端末から取得する贈与指示取得部と、
慶弔金コードが予め付与された手渡し用のメディアから前記贈与者の端末が読み取った前記慶弔金コードを前記贈与者の端末から取得する既存コード取得部と、
前記贈与指示取得部が取得した前記贈与指示情報と、前記既存コード取得部が取得した慶弔金コードと、前記慶弔金の受取キーとを対応付けて記憶する慶弔金データベースと、
前記慶弔金の受取者の端末が前記手渡し用のメディアから読み取った前記慶弔金コードと、当該慶弔金コードに対応付けられた受取キーと、前記慶弔金の受取方法を定める受取指示情報とを前記受取者の端末から取得する受取指示取得部と、
前記受取指示取得部が取得した前記慶弔金コードと前記受取キーとが前記慶弔金データベースにおいて対応付けられている場合に、前記贈与指示情報と前記受取指示情報とに従って前記贈与者から前記受取者への前記慶弔金の送金決済処理を実行する送金処理部と、を備える慶弔金管理装置。
【請求項２】
前記贈与指示情報が前記贈与者の端末から取得されるのに応じて当該贈与指示情報に対応する受取キーを自動設定する受取キー設定部を更に備え、
前記慶弔金データベースは、前記贈与指示取得部が取得した前記贈与指示情報と前記受取キー設定部が設定した前記受取キーとを対応付けて記憶する、請求項１記載の慶弔金管理装置。
【請求項３】
前記贈与指示情報に対応付けられた贈与キーを前記贈与者の端末から取得する贈与キー取得部を更に備え、
前記受取キー設定部は、複数の前記贈与指示情報が共通の前記贈与キーに対応付けられる場合に、当該複数の贈与指示情報に対して共通の受取キーを設定する、請求項２記載の慶弔金管理装置。
【請求項４】
前記受取指示取得部が取得した前記受取キーが前記共通の受取キーである場合に、前記送金処理部は前記共通の受取キーに対応付けられた複数の前記贈与指示情報と前記受取指示情報とに従った前記送金決済処理をまとめて実行する、請求項３記載の慶弔金管理装置。
【請求項５】
前記受取指示取得部が取得した前記受取キーが前記共通の受取キーである場合に、当該受取キーに対応する複数の前記慶弔金コードの読み取りを前記受取者の端末に要求する読取要求部を更に備え、
前記受取指示取得部は、前記読取要求部からの要求に従って前記受取者の端末が読み取った複数の前記慶弔金コードを前記共通の受取キーに対応付けて取得し、
前記送金処理部は、前記共通の受取キーに対応付けて前記受取指示取得部が取得した複数の前記慶弔金コードにそれぞれ対応する複数の前記贈与指示情報にそれぞれ従った複数の前記送金決済処理をまとめて実行する、請求項４記載の慶弔金管理装置。
【請求項６】
前記共通の受取キーに対応付けて前記受取指示取得部が取得した複数の前記慶弔金コードの他の前記慶弔金コードが前記慶弔金データベースにおいて当該受取キーに更に対応付けられている場合に、読み取り漏れの前記慶弔金コードの存在を前記受取者の端末に通知する読取漏れ通知部を更に備える、請求項５記載の慶弔金管理装置。
【請求項７】
前記受取指示取得部が取得した前記受取キーが前記共通の受取キーである場合に、当該受取キーに対応付けられた複数の前記贈与指示情報を前記慶弔金データベースから抽出する贈与指示抽出部を更に備え、
前記送金処理部は、前記贈与指示抽出部が抽出した複数の前記贈与指示情報にそれぞれ従った複数の前記送金決済処理をまとめて実行する、請求項４記載の慶弔金管理装置。
【請求項８】
前記贈与者の端末からの要求に応じて、前記贈与指示情報に対応する慶弔金コードを自動生成するコード生成部と、
前記慶弔金コードの生成を要求した前記贈与者の端末に前記コード生成部が生成した前記慶弔金コードを送信するコード送信部とを更に備え、
前記コード生成部が前記慶弔金コードを生成する場合に、前記慶弔金データベースは、前記贈与指示取得部が取得した前記贈与指示情報と前記コード生成部が生成した前記慶弔金コードとを対応付けて記憶する、請求項１〜７のいずれか一項記載の慶弔金管理装置。
【請求項９】
前記コード生成部が前記慶弔金コードを生成する場合に、前記贈与者の支払金額にコード生成費用を加算する加算処理部を更に備える、請求項８記載の慶弔金管理装置。
【請求項１０】
慶弔金の金額と支払方法とを定める贈与指示情報と、慶弔金コードが予め付与された手渡し用のメディアから贈与者の端末が読み取った前記慶弔金コードと、を前記贈与者の端末から取得することと、
前記贈与者の端末から取得した前記贈与指示情報及び前記慶弔金コードと、前記慶弔金の受取キーとを対応付けて慶弔金データベースに保存することと、
前記慶弔金の受取者の端末が前記手渡し用のメディアから読み取った前記慶弔金コードと、当該慶弔金コードに対応付けられた受取キーと、前記慶弔金の受取方法を定める受取指示情報とを前記受取者の端末から取得することと、
前記受取者の端末から取得した前記慶弔金コードと前記受取キーとが前記慶弔金データベースにおいて対応付けられている場合に、前記贈与指示情報と前記受取指示情報とに従って前記贈与者から前記受取者への前記慶弔金の送金決済処理を実行することと、
を含む慶弔金管理方法。
【請求項１１】
慶弔金の金額と贈与者による支払方法とを定める贈与指示情報を入力するための贈与指示入力部を表示することと、
慶弔金コードが予め付与された手渡し用のメディアから前記慶弔金コードを読み取るための贈与用読取画面を表示することと、
前記贈与指示入力部に入力された前記贈与指示情報と、前記贈与用読取画面において読み取られた前記慶弔金コードと、前記慶弔金の受取キーとを対応付けて慶弔金データベースに記憶させることを慶弔金管理サーバに要求することと、
前記慶弔金コードを読み取るための受取用読取画面を表示することと、
前記慶弔金の受取キーを入力するための受取キー入力部を表示することと、
受取者による前記慶弔金の受取方法を定める受取指示情報を入力するための受取指示入力部を表示することと、
前記受取用読取画面において読み取られた前記慶弔金コードと、前記受取キー入力部に入力された前記受取キーとに対応付けられた前記贈与指示情報と、前記受取指示入力部に入力された前記受取指示情報とに従って前記慶弔金の送金決済処理を前記慶弔金管理サーバに要求することと、を端末に実行させるように構成されているプログラム。
【請求項１２】
前記受取キー入力部に入力された前記受取キーが、前記慶弔金データベースにおいて複数の前記贈与指示情報に対応付けられている場合に、前記受取用読取画面の表示を反復させることを前記端末に更に実行させ、
反復表示された前記受取用読取画面において複数の前記慶弔金コードが読み取られた場合に、当該複数の慶弔金コードにそれぞれ対応付けられた複数の前記贈与指示情報と、前記受取指示入力部に入力された前記受取指示情報とに従った前記送金決済処理をまとめて前記慶弔金管理サーバに要求することを前記端末に実行させるように構成されている、請求項１１記載のプログラム。
【請求項１３】
反復表示された前記受取用読取画面においてそれぞれ読み取られた複数の前記慶弔金コードの他の前記慶弔金コードと、前記受取キー入力部に入力された前記受取キーとが、前記慶弔金データベースにおいて更に対応付けられている場合に、読み取り漏れの前記慶弔金コードの存在を通知する通知画面を表示することを更に前記端末に実行させるように構成されている、請求項１２記載のプログラム。
【請求項１４】
前記贈与指示情報に対応する慶弔金コードの生成を慶弔金管理サーバに要求するためのコード要求入力部を表示することと、
前記慶弔金管理サーバが生成した前記慶弔金コードを表示することとを前記端末に更に実行させるように構成されている、請求項１１〜１３のいずれか一項記載のプログラム。